(57)【要約】【課題】安価で容易に用いることができる、ベルトプレス等のろ布蛇行修正装置を提供する。【解決手段】無端状のろ布８を走行自在に掛け回し、ろ布８に挟持した汚泥を脱水すると共に、エアーシリンダー９により作動する修正ローラー７でろ布８の蛇行を修正するろ布蛇行修正装置において、エアーシリンダー９への流路を切り替えるエアーオペレートバルブ１０と、エアーオペレートバルブ１０の切り替えを制御するメカニカルバルブ１１と、メカニカルバルブ１１を開閉する検知レバー１４と、を備え、ろ布８の蛇行で検知レバー１４が所定角度に傾倒することでメカニカルバルブ１１を開閉し、エアーオペレートバルブ１０の切り替えを行うことでろ布の蛇行修正が行える。【選択図】図１
2016073998.tif 000002
【特許請求の範囲】
【請求項１】
無端状のろ布（８）を走行自在に掛け回し、ろ布（８）に挟持した汚泥を脱水すると共に、エアーシリンダー（９）により作動する修正ローラー（７）でろ布（８）の蛇行を修正するろ布蛇行修正装置において、
エアーシリンダー（９）への流路を切り替えるエアーオペレートバルブ（１０）と、
エアーオペレートバルブ（１０）の切り替えを制御するメカニカルバルブ（１１）と、
メカニカルバルブ（１１）を開閉する検知レバー（１４）と、を備え、
ろ布（８）の蛇行で検知レバー（１４）が所定角度に傾倒することでメカニカルバルブ（１１）を開閉し、エアーオペレートバルブ（１０）の切り替えを行う
ことを特徴とするろ布蛇行修正装置。
【請求項２】
前記検知レバー（１４）がろ布（８）の蛇行を検知して所定角度に傾倒するまで、メカニカルバルブ（１１）からのエアー排気量を調整する排気量調整バルブ（１６）を備える
ことを特徴とする請求項１に記載のろ布蛇行修正装置。
【発明の詳細な説明】
【技術分野】
【０００１】
本発明は、ベルトプレス等のろ布を走行させて使用する脱水機の、ろ布の蛇行を修正するためのろ布蛇行修正装置に関する。
【背景技術】
【０００２】
従来、ベルトプレス等の脱水機において、ろ布が蛇行した際には先行文献１のように、エアーシリンダーを用いてろ布の張力を調整し、ろ布の蛇行を修正していた。エアーシリンダーの調整には光学式の検出器や電磁弁等を用いていた。
また、先行文献２にはろ布に当接したロールを傾けろ布の蛇行を修正する装置が開示されており、ろ布の蛇行により回転するレバーを備えたベルト蛇行検知装置用いて、レバーの開度に合わせてロールを傾け、蛇行の修正を行っている。
【先行技術文献】
【特許文献】
【０００３】
【特許文献１】特開平０５−１８４８２２
【特許文献２】特公平０２−１６００
【発明の概要】
【発明が解決しようとする課題】
【０００４】
先行文献１のようなろ布蛇行修正装置は、機能的に問題がないが、電磁弁等を用いるため電気を必要としており、その他電気配線、端子ボックス等を伴うため、高価な装置を必要とする。また、それらの設計費等も必要となるためコストが高い。
その他、ろ布の蛇行検知にリミットスイッチを用いることもあるが、ベルトプレスを配設する処理場の多くは現場雰囲気が悪いため、リミットスイッチが故障することがあった。
先行文献２では、電気を用いないでエアーのみでろ布の蛇行を修正している。先行文献２に開示されている検知装置は特殊なもので、ろ布の蛇行量に応じて２次空気の排出量を変化させている。しかし、回転孔と排出空気用の通孔の形状、傾きを適切に設定しなければ２次空気量の調整が不安定となるうえ、その設定は形状、傾きに依存するため調整が困難であった。
【課題を解決するための手段】
【０００５】
無端状のろ布を走行自在に掛け回し、ろ布に挟持した汚泥を脱水すると共に、エアーシリンダーにより作動する修正ローラーでろ布の蛇行を修正するろ布蛇行修正装置において、エアーシリンダーへの流路を切り替えるエアーオペレートバルブと、エアーオペレートバルブの切り替えを制御するメカニカルバルブと、メカニカルバルブを開閉する検知レバーと、を備え、ろ布の蛇行で検知レバーが所定角度に傾倒することでメカニカルバルブを開閉し、エアーオペレートバルブの切り替えを行うことで、エアーのみで作動する簡素な装置でろ布の蛇行修正が行える。
【０００６】
前記検知レバーがろ布の蛇行を検知して所定角度に傾倒するまで、メカニカルバルブからのエアー排気量を調整する排気量調整バルブを備えることで、エアーの消費量を最小限にすることができる。
【発明の効果】
【０００７】
装置がエアーのみで作動するため、電気を必要とせず、電磁弁、端子ボックス、電気配線なども必要としない。安価で市場に流通しているバルブを用いることができるため、容易に用いることができ、大幅なコストダウンが望める。
【図面の簡単な説明】
【０００８】
【図１】本発明に係るろ布蛇行修正装置の概念図である。
【図２】同じく、ろ布が正常に走行している場合の回路図である。
【図３】同じく、ろ布が蛇行した場合の回路図である。
【発明を実施するための形態】
【０００９】
本発明は、ベルトプレス等の脱水機に掛け回したろ布の蛇行を修正する装置である。
図１は本発明に係るろ布蛇行修正装置の概念図である。
本発明のろ布蛇行修正装置の修正ローラー７は走行するろ布８に摺接させると共に、修正ローラー７の両端にエアーシリンダー９を接続している。ろ布８が蛇行した際には、エアーシリンダー９を伸縮させることで修正ローラー７を傾け、修正ローラー７の傾けた方向にろ布８を誘導している。また、ろ布蛇行修正装置は、ろ布８の蛇行が所定幅以上となると作動する。
【００１０】
本発明のろ布蛇行修正装置は、ろ布８の蛇行を修正する修正ローラー７と、修正ローラー７の両端で修正ローラー７の傾きを調節するエアーシリンダー９と、エアーシリンダー９への流路を切り替えるエアーオペレートバルブ１０と、ろ布８の蛇行を検知してエアーオペレートバルブ１０の切り替えを制御するメカニカルバルブ１１と、メカニカルバルブ１１を開閉する検知レバー１４と、で構成される。
【００１１】
≪エアーオペレートバルブ≫
ここで、本発明に用いるエアーオペレートバルブ１０は、エアーシリンダー９のヘッド室１２とロッド室１３に配管を接続し、エアーの流路を切り替えてエアーシリンダー９を伸縮させる。ろ布８が蛇行した際にはエアーシリンダー９を伸縮し、ろ布８の蛇行を修正するように修正ローラー７を傾ける。
【００１２】
≪メカニカルバルブ≫
また、本発明に用いるメカニカルバルブ１１は、ろ布８の蛇行に伴って傾倒する検知レバー１４を設けている。検知レバー１４は走行するろ布８の左右に配設し、ろ布８が蛇行した際には検知レバー１４と接触し、傾倒するように配設する。
通常、ろ布８が蛇行していない場合は検知レバー１４が傾倒しておらず、メカニカルバルブ１１が閉止している。ろ布８が蛇行し、検知レバー１４が所定の角度に傾倒することでメカニカルバルブ１１が開き、メカニカルバルブ１１と接続したエアーオペレートバルブ１０が切り換わる。エアーオペレートバルブ１０が切り換わることで、エアーシリンダー９が作動する。
なお、検知レバー１４はワイヤー型、ローラー型など、公知のものを利用できる。
【００１３】
≪回路≫
図２はろ布が正常に走行している場合の回路図である。
エアー源１５から配管１をメカニカルバルブ１１のポート１１ａへ接続する。
配管１から分岐した配管２は、エアーオペレートバルブ１０のポート１０Ｂへ接続する。
エアーオペレートバルブ１０のポート１０Ｄからエアーシリンダー９のロッド室１３へ配管３を接続する。
また、エアーオペレートバルブ１０のポート１０Ｅからエアーシリンダー９のヘッド室１２へ配管４を接続する。
メカニカルバルブ１１のポート１１ｂからエアーオペレートバルブ１０に配管５を接続し、供給されたエアーの圧力によりエアーオペレートバルブ１０の回路の切り替えを行う。
メカニカルバルブ１１のポート１１ｃに接続した配管６は、排気側に排気量調整１６バルブを備える。
【００１４】
図２が示すように、ろ布８が蛇行せず、正常に走行している場合、メカニカルバルブ１１の検知レバー１４は傾倒しておらず、メカニカルバルブ１１は閉止している。
まず、エアー源１５から配管１にエアーが供給される。メカニカルバルブ１１のポート１１ａは閉止しているため、配管１から分岐した配管２へエアーが流入する。エアーは、配管２と接続したエアーオペレートバルブ１０のポート１０Ｂから流入し、ポート１０Ｄから流出する。エアーは、ポート１０Ｄと接続した配管３を介してエアーシリンダー９のロッド室１３へ流入し、エアーシリンダー９を収縮させる。
また、エアーシリンダー９のヘッド室１２のエアーは、ヘッド室１２からエアーオペレートバルブ１０のポート１０Ｅに連通する配管４を通り、ポート１０Ｃから排出される。
【００１５】
図３はろ布が蛇行した場合の回路図である。
本発明のろ布蛇行修正装置は予めろ布蛇行量の上限を設定しておき、上限を超えるとろ布蛇行修正装置を作動させる。
ろ布８が蛇行し、メカニカルバルブ１１の検知レバー１４が所定の角度に傾倒したとき、メカニカルバルブ１１が開く。
エアー源１５から配管１にエアーが供給される。メカニカルバルブ１１のポート１１ａからポート１１ｂを通り、エアーが配管５に流出する。配管５と接続したエアーオペレートバルブ１０は、流入したエアーの圧力によって切り換わる。
配管１から分岐した配管２に流入したエアーは、切り換わったエアーオペレートバルブ１０のポート１０Ｂからポート１０Ｅを通り、配管４を介してエアーシリンダー９のヘッド室１２へ流入し、エアーシリンダー９を伸長させる。
また、エアーシリンダー９のロッド室１３のエアーは、ロッド室１３からエアーオペレートバルブ１０のポート１０Ｄに連通する配管３を通り、ポート１０Ａから排出される。
【００１６】
≪排気量調節バルブ≫
ここで、メカニカルバルブ１１のポート１１ｃに接続する配管６に、排気量調節バルブ１６を設けてもよい。
排気量調節バルブ１６は常時微小な開口を有しており、ろ布８が正常に走行している場合は、メカニカルバルブ１１のポート１１ｃとポート１１ｂが連通している。
ろ布８蛇行時、メカニカルバルブ１１の検知レバー１４が所定角度まで傾くことでメカニカルバルブ１１が切り換わるが、検知レバー１４が所定角度に傾倒するまでの中間位置にある場合、バルブの切り換わりが不完全なため、メカニカルバルブ１１のポート１１ａからポート１１ｃへエアーが流れ込み、エアーが漏れ出ていた。
ポート１１ｃからの漏出防止のため、ポート１１ｃを完全に閉止した場合、検知レバー１４が所定角度に傾倒する前に配管５にエアーが流入し、エアーオペレートバルブ１０が切り換わることがある。
【００１７】
そこで、ポート１１ｃに接続した配管６に排気量調整バルブ１６を設け、ポート１１ｃから流出するエアーの量を制限する。そうすることによって、ポート１１ｃから少量ずつエアーが流出し、検知レバー１４が所定角度に傾倒するまでエアーオペレートバルブ１０が切り換わることはなく、エアーの消費を最小限にできる。
【産業上の利用可能性】
【００１８】
本発明のろ布蛇行修正装置は、ベルトプレスのろ布やベルト等を走行させる装置に広く用いることができ、簡素な構成であるため、実施・メンテナンスが容易でコストも抑えることができる。
【符号の説明】
【００１９】
７  修正ローラー
８  ろ布
９  エアーシリンダー
１０  エアーオペレートバルブ
１１  メカニカルバルブ
１４  検知レバー
１６  排気量調整バルブ
【図１】
2016073998.tif 000003
【図２】
2016073998.tif 000004
【図３】
2016073998.tif 000005